(57)【要約】  一実施形態では、移動通信システム（１）は、無線アクセスネットワーク（２０）及びコアネットワーク（３０）を含む。コアネットワーク（３０）は、コアネットワークノード（３００）を含む。コアネットワークノード（３００）は、ＮＡＳ（Non-Access Stratum）要求メッセージの送信抑止のために無線端末（１０）に配置されるＮＡＳバックオフタイマ（１１０）のタイマ値を無線端末（１０）に通知するよう構成されている。当該タイマ値は、一実施形態において、無線端末（１０）にインストールされたソフトウェア又はソフトウェアのバージョン若しくはリビジョンを示すソフトウェア情報に基づいて決定される。
2014013661.tif 000002
【特許請求の範囲】
【請求項１】
ＮＡＳ（Non-Access Stratum）要求メッセージの送信抑止のために無線端末に配置されるＮＡＳバックオフタイマのタイマ値を前記無線端末に通知する通知手段を備え、
前記タイマ値は、前記無線端末にインストールされたソフトウェア又は前記ソフトウェアのバージョン若しくはリビジョンを示すソフトウェア情報に基づいて決定される、
コアネットワークノード。
【請求項２】
前記ソフトウェア情報は、前記無線端末からコアネットワークに送信される、請求項１に記載のコアネットワークノード。
【請求項３】
前記ソフトウェア情報は、ＩＭＥＩＳＶ（International Mobile Equipment Identity Software Version）内のＳＶＮ（Software Version Number）を含む、請求項１又は２に記載のコアネットワークノード。
【請求項４】
前記タイマ値は、前記ソフトウェア情報に対応付けられた決定ポリシに従って決定される、請求項１〜３のいずれか１項に記載のコアネットワークノード。
【請求項５】
前記決定ポリシは、前記タイマ値が予め定められた固定値とされる第１のポリシ、及び前記タイマ値がランダムに決定される第２のポリシを含む複数のポリシから選択される、請求項４に記載のコアネットワークノード。
【請求項６】
前記ＮＡＳ要求メッセージは、Service Request、PDN Connectivity Request、Bearer Resource Allocation Request、Bearer Resource Modification Request、Attach Request、及びTracking Area Update Requestのうち少なくとも１つを含む、請求項１〜５のいずれか１項に記載のコアネットワークノード。
【請求項７】
無線端末であって、
前前記無線端末にインストールされたソフトウェア又は前記ソフトウェアのバージョン若しくはリビジョンを示すソフトウェア情報に基づいて決定されたタイマ値を受信し、ＮＡＳ（Non-Access Stratum）要求メッセージの送信抑止のためのＮＡＳバックオフタイマを前記タイマ値に基づいて設定し、前記バックオフタイマを活性化する制御手段を備える、
無線端末。
【請求項８】
前記ソフトウェア情報は、前記無線端末からコアネットワークに送信される、請求項７に記載の無線端末。
【請求項９】
前記ソフトウェア情報は、ＩＭＥＩＳＶ（International Mobile Equipment Identity Software Version）内のＳＶＮ（Software Version Number）を含む、請求項７又は８に記載の無線端末。
【請求項１０】
前記ＮＡＳ要求メッセージは、Service Request、PDN Connectivity Request、Bearer Resource Allocation Request、Bearer Resource Modification Request、Attach Request、及びTracking Area Update Requestのうち少なくとも１つを含む、請求項７〜９のいずれか１項に記載の無線端末。
【請求項１１】
輻輳制御のための方法であって、
ＮＡＳ（Non-Access Stratum）要求メッセージの送信抑止のために無線端末に配置されるＮＡＳバックオフタイマのタイマ値を前記無線端末に通知することを備え、
前記タイマ値は、前記無線端末にインストールされたソフトウェア又は前記ソフトウェアのバージョン若しくはリビジョンを示すソフトウェア情報に基づいて決定される、
方法。
【請求項１２】
前記ソフトウェア情報は、前記無線端末からコアネットワークに送信される、請求項１１に記載の方法。
【請求項１３】
前記ソフトウェア情報は、ＩＭＥＩＳＶ（International Mobile Equipment Identity Software Version）内のＳＶＮ（Software Version Number）を含む、請求項１１又は１２に記載の方法。
【請求項１４】
前記タイマ値は、前記ソフトウェア情報に対応付けられた決定ポリシに従って決定される、請求項１１〜１３のいずれか１項に記載の方法。
【請求項１５】
前記決定ポリシは、前記タイマ値が予め定められた固定値とされる第１のポリシ、及び前記タイマ値がランダムに決定される第２のポリシを含む複数のポリシから選択される、請求項１４に記載の方法。
【請求項１６】
輻輳制御のための方法をコンピュータに行わせるためのプログラムを格納した非一時的なコンピュータ可読媒体であって、
前記方法は、ＮＡＳ（Non-Access Stratum）要求メッセージの送信抑止のために無線端末に配置されるＮＡＳバックオフタイマのタイマ値を前記無線端末に通知することを含み、
前記タイマ値は、前記無線端末にインストールされたソフトウェア又は前記ソフトウェアのバージョン若しくはリビジョンを示すソフトウェア情報に基づいて決定される、
非一時的なコンピュータ可読媒体。
【発明の詳細な説明】
【技術分野】
【０００１】
本発明は、移動通信システムの輻輳制御に関する。
【背景技術】
【０００２】
多元接続方式の移動通信システムは、時間、周波数、及び送信電力のうち少なくとも１つを含む無線リソースを複数の無線端末の間で共有することで、複数の無線端末が実質的に同時に無線通信を行うことを可能としている。代表的な多元接続方式は、ＴＤＭＡ（Time Division Multiple Access）、ＦＤＭＡ（Frequency Division Multiple Access）、ＣＤＭＡ（Code Division Multiple Access）、若しくはＯＦＤＭＡ（Orthogonal Frequency Division Multiple Access）又はこれらの組み合わせである。本明細書で用いる移動通信システムの用語は、特に断らない限り多元接続方式の移動通信システムを意味する。【０００３】
移動通信システムは、無線端末及びネットワークを含む。ネットワークは、無線アクセスネットワーク（ＲＡＮ：Radio Access Network）及びモバイルコアネットワーク（ＭＣＮ：Mobile Core Network）を含む。無線端末は、ＲＡＮ及びＭＣＮを介して外部ネットワーク（例えば、 インターネット、パケットデータネットワーク、ＰＳＴＮ（Public Switched Telephone Networks））と通信する。【０００４】
ＲＡＮは、基地局および無線リソース管理機能を含む。無線リソース管理機能は、基地局とは別のＲＡＮノードに配置される場合もあるし、基地局に配置される場合もある。例えば、３ＧＰＰ（3rd Generation Partnership Project）のＵＭＴＳ（Universal Mobile Telecommunications System）では、無線リソース管理機能は、ＲＮＣ（Radio Network Controller）に配置される。一方、３ＧＰＰのＥＰＳ（Evolved Packet System）又はＬＴＥ（Long Term Evolution）では、無線リソース管理機能は、基地局（eNB）に配置される。【０００５】
ＭＣＮは、トラフィックを中継する１又は複数の転送ノード、並びにモビリティ管理及びセッション管理（ベアラ管理）などを行う１又は複数の制御ノードを含む。転送ノード機能及び制御ノード機能は、例えばＵＭＴＳのＰＳ（Packet Switched）ドメインのＳＧＳＮ（Serving GPRS Support Node）およびＣＳ（Circuit Switched）ドメインのＭＳＣ（Mobile-services Switching Center）のように、１つのノードに一体的に配置されてもよい。制御ノードは、無線端末との間でＮＡＳ（Non-Access Stratum）メッセージを送受信する。ＮＡＳメッセージは、ＲＡＮで終端されず、ＲＡＮの無線アクセス方式に依存することなく、無線端末とＭＣＮの間で透過的に送受信される制御メッセージである。無線端末からＭＣＮに送られるＮＡＳメッセージは、アタッチ要求、セッション（ベアラ）要求、及び位置更新要求などのＮＡＳ要求メッセージを含む。例えば、ＥＰＳの場合、無線端末からのＮＡＳ要求メッセージは、Attach Request、Service Request、PDN connectivity request、Bearer Resource Allocation Request、Bearer Resource Modification Request、TAU (Tracking Area Update) Request、及びRAU (Routing Area Update) Requestのうち少なくとも１つを含む。一方、ＭＣＮから無線端末に送信されるＮＡＳメッセージは、これらのＮＡＳ要求メッセージに対する受諾（ACCEPT）メッセージ、及び拒絶（REJECT）メッセージを含む。【０００６】
コアネットワークの過負荷又は輻輳を抑制するためのＮＡＳレベルの輻輳制御（congestion control）が知られている（例えば、非特許文献１及び特許文献１を参照）。非特許文献１は、ＡＰＮ（Access Point Name）ベースのセッション・マネジメント輻輳制御及びモビリティ・マネジメント輻輳制御、並びに一般的なＮＡＳレベルのモビリティ・マネジメント輻輳制御を開示している。ＡＰＮは、ＥＰＳで用いられる外部ネットワークの識別子である。ＡＰＮベースの輻輳制御は、特定のＡＰＮに関する過負荷又は輻輳を抑制するために実行される。一般的なＮＡＳレベルのモビリティ・マネジメント輻輳制御は、特定のＡＰＮによらない一般的な過負荷状況下で実行される。これらのＮＡＳレベルの輻輳制御が実行される場合、ＭＭＥ（Mobility Management Entity）は、無線端末からのセッション・マネジメント又はモビリティ・マネジメントに関するＮＡＳ要求を拒絶する。なお、ＭＭＥは、ＥＰＳのコアネットワーク（ＥＰＣ（Evolved Packet Core））に配置される制御ノードである。ＮＡＳ要求を拒絶された無線端末は、ＮＡＳバックオフタイマを活性化し（activate）、デタッチ（コネクション切断）する場合、緊急呼を起動する場合、およびページングに応答する場合などのいくつか例外を除いて、ＮＡＳバックオフタイマが満了するまで新たなＮＡＳ要求の送信を抑止する。ＥＰＳでは、ＮＡＳバックオフタイマは、Session Management back-off timer、Mobility Management back-off timer、又は back-off timer T3346、等と呼ばれる。【０００７】
ＮＡＳバックオフタイマのタイマ値（すなわちバックオフ時間）の長さは、コアネットワークによって指定される。例えば、ＮＡＳ要求を拒絶するためにコアネットワークの制御ノード（e.g. ＭＭＥ、ＳＧＳＮ）から無線端末に送られる拒絶メッセージは、バックオフタイマ値の指定を含む。なお、制御ノード（e.g. ＭＭＥ）は、多数の無線端末がバックオフタイマによって延期されたＮＡＳ要求を殆ど同時に行うことを回避しなければならない。そのために、非特許文献１は、延期されたＮＡＳ要求が同時に発生しないように、ＮＳバックオフタイマ値を選択するべきであると記載している。【０００８】
また、非特許文献１は、ＭＴＣ（Machine Type Communication）に関する過負荷への対処について記載している。ＭＴＣは、Ｍ２Ｍ（Machine-to−Machine）コミュニケーション又はセンサネットワークコミュニケーションとも呼ばれる。ＭＴＣを移動通信システムに収容する場合、機械（e.g. 自動販売機、スマートメータ、自動車、鉄道車両）及びセンサ（e.g. 環境、農業、交通等に関するセンサ）に無線端末の機能が配置される。ＭＴＣ用の無線端末はＭＴＣデバイスと呼ばれる。非特許文献１は、ＭＴＣデバイスの通信が集中することによる負荷ピークの繰り返しを防ぐために、ＭＴＣデバイスに課されるバックオフタイマ値がランダム化されてもよいことを記載している。また、非特許文献１は、ＭＴＣデバイスための無線端末は低プライオリティ端末として構成されてもよく、低プライオリティ端末に対して長いバックオフタイマが課されてもよいことを記載している。さらに、非特許文献１は、低プライオリティ端末が、ＮＡＳシグナリング手順の間に、低ライオリティ識別子をＭＭＥに送信することについて記載している。低プライオリティ識別子は、ＭＭＥが無線端末からのＮＡＳ要求を受け入れるか否かを決定するために使用される。【０００９】
特許文献１は、ＭＴＣの輻輳制御を開示しており、特定のＭＴＣアプリケーションの通信をブロックするためのＮＡＳレベルの輻輳制御を開示している。例えば、ネットワークノード（e.g.ＭＭＥ、ＳＧＳＮ）は、特定の ＭＴＣアプリケーションに関するＭＴＣデバイスからＮＡＳ要求（例えば、PDN Connectivity Request又は Attach Request）を受信した場合に、バックオフタイマ値の指定を含む拒絶メッセージを送信する。特定の ＭＴＣアプリケーションは、ＡＰＮ又はＭＴＣグループ識別子によって識別されてもよい。また、複数のＭＴＣデバイスのバックオフタイマが満了したときにネットワーク負荷が高まることを防ぐために、同じＭＴＣグループに属する異なるＭＴＣデバイスに対してランダムなバックオフタイマ値が割り当てられてもよい。また、特許文献１は、無線端末からのＮＡＳ要求に対する受諾メッセージ（e.g. Attach Acceptメッセージ、RAU Acceptメッセージ、又はTAU Acceptメッセージ）によってバックオフタイマ値が無線端末に送られてもよいことを記載している。
【先行技術文献】
【特許文献】
【００１０】
【特許文献１】米国特許出願公開第２０１１／０１９９９０５号明細書
【非特許文献】
【００１１】
【非特許文献１】3GPP TS 23.401 V10.8.0 (2012-06)
【発明の概要】
【発明が解決しようとする課題】
【００１２】
本件の発明者等は、スマートフォン及びＭＴＣデバイス等の通信量、時間（遅延）に対する寛容性（time tolerance）、移動性などの異なる無線端末を移動通信システムに収容する利用形態について詳細な検討を行った。そして、本願の発明者等は、ＮＡＳバックオフタイマを用いたＮＡＳレベルの輻輳制御に関する様々な課題を見出した。これらの課題に対処するために発明者等により得られた技術思想は、ＮＡＳレベルの輻輳制御の改善に寄与する。当該技術思想の幾つかの具体例は、後述する実施形態の記述及び図面によって明らかにされる。
【課題を解決するための手段】
【００１３】
一態様では、コアネットワークノードは、ＮＡＳ（Non-Access Stratum）要求メッセージの送信抑止のために無線端末に配置されるＮＡＳバックオフタイマのタイマ値を前記無線端末に通知するよう構成された通知部を有する。前記タイマ値は、前記無線端末にインストールされたソフトウェア又は前記ソフトウェアのバージョン若しくはリビジョンを示すソフトウェア情報に基づいて決定される。【００１４】
一態様では、無線端末は、前前記無線端末にインストールされたソフトウェア又は前記ソフトウェアのバージョン若しくはリビジョンを示すソフトウェア情報に基づいて決定されたタイマ値を受信し、ＮＡＳ（Non-Access Stratum）要求メッセージの送信抑止のためのＮＡＳバックオフタイマを前記タイマ値に基づいて設定し、前記バックオフタイマを活性化するよう構成された制御部を有する。【００１５】
一態様では、輻輳制御のための方法は、ＮＡＳ（Non-Access Stratum）要求メッセージの送信抑止のために無線端末に配置されるＮＡＳバックオフタイマのタイマ値を前記無線端末に通知することを含む。記タイマ値は、前記無線端末にインストールされたソフトウェア又は前記ソフトウェアのバージョン若しくはリビジョンを示すソフトウェア情報に基づいて決定される。【００１６】
一態様では、コアネットワークノードは、決定部及び通知部を有する。前記決定部は、無線端末の加入者データを加入者サーバから取得し、ＮＡＳ（Non-Access Stratum）要求メッセージの送信抑止のために無線端末に配置されるＮＡＳバックオフタイマのタイマ値を前記加入者データに基づいて決定するよう構成される。前記通知部は、前記タイマ値を前記無線端末に通知するよう構成される。【００１７】
一態様では、無線端末は、加入者データに基づいて決定されたタイマ値をコアネットワークノードから受信し、ＮＡＳ（Non-Access Stratum）要求メッセージの送信抑止のためのＮＡＳバックオフタイマを前記タイマ値に基づいて設定し、前記バックオフタイマを活性化するよう構成された制御部を有する。【００１８】
一態様では、輻輳制御のための方法は、無線端末の加入者データを加入者サーバから取得し、ＮＡＳ（Non-Access Stratum）要求メッセージの送信抑止のために無線端末に配置されるＮＡＳバックオフタイマのタイマ値を前記加入者データに基づいて決定すること、及び前記タイマ値を前記無線端末に通知することを含む。【００１９】
一態様では、コアネットワークノードは、ＮＡＳ（Non-Access Stratum）要求メッセージの送信抑止のために無線端末に配置されるＮＡＳバックオフタイマのタイマ値を前記無線端末に通知するよう構成された通知部を有する。前記タイマ値は、前記無線端末が無線アクセスネットワーク及びコアネットワークを介して通信する外部ネットワークに基づいて決定される。【００２０】
一態様では、無線端末は、前記無線端末が無線アクセスネットワーク及びコアネットワークを介して通信する外部ネットワークに応じて決定されたタイマ値を受信し、ＮＡＳ（Non-Access Stratum）要求メッセージの送信抑止のためのＮＡＳバックオフタイマを前記タイマ値に基づいて設定し、前記バックオフタイマを活性化するよう構成された制御部を有する。【００２１】
一態様では、輻輳制御のための方法は、ＮＡＳ（Non-Access Stratum）要求メッセージの送信抑止のために無線端末に配置されるＮＡＳバックオフタイマのタイマ値を前記無線端末に通知することを含む。前記タイマ値は、前記無線端末が無線アクセスネットワーク及びコアネットワークを介して通信する外部ネットワークに応じて決定される。
【発明の効果】
【００２２】
上述した態様は、ＮＡＳレベルの輻輳制御の改善に寄与することができる。
【図面の簡単な説明】
【００２３】
【図１】第１〜第３の実施形態に係る移動通信システムの構成例を示す図である。
【図２】第１〜第３の実施形態に係る移動管理ノードの構成例を示す図である。
【図３】第１〜第３の実施形態に係る無線端末の構成例を示す図である。
【図４】第１の実施形態に係るＮＡＳバックオフタイマ値の決定手順の一例を示すフローチャートである。
【図５】第１の実施形態に係る輻輳制御手順の一例を示すシーケンス図である。
【図６】第２の実施形態に係るＮＡＳバックオフタイマ値の決定手順の一例を示すフローチャートである。
【図７】第２の実施形態に係るＮＡＳバックオフタイマ値の決定ポリシの一例を示す図である。
【図８】第２の実施形態に係る輻輳制御手順の一例を示すシーケンス図である。
【図９】第２の実施形態に係る輻輳制御手順の一例を示すシーケンス図である。
【図１０】第３の実施形態に係るＮＡＳバックオフタイマ値の決定手順の一例を示すフローチャートである。
【図１１】第３の実施形態に係る輻輳制御手順の一例を示すシーケンス図である。
【図１２】第３の実施形態に係る輻輳制御手順の一例を示すシーケンス図である。
【図１３】第３の実施形態に係る輻輳制御手順の一例を示すシーケンス図である。
【発明を実施するための形態】
【００２４】
以下では、具体的な実施形態について、図面を参照しながら詳細に説明する。各図面において、同一又は対応する要素には同一の符号が付されており、説明の明確化のため、必要に応じて重複説明は省略される。
【００２５】
＜第１の実施形態＞
図１は、本実施形態を含む幾つかの実施形態に係る移動通信システムの構成例を示している。移動通信システムは、無線アクセスネットワーク（ＲＡＮ）２０及びモバイルコアネットワーク（ＭＣＮ）３０を含む。ＲＡＮ２０は、基地局２００を含む。基地局２００は、無線アクセス技術により無線端末１００と接続する。無線端末１００は、無線インタフェースを有し、無線アクセス技術により基地局２００に接続し、ＲＡＮ２０を介してＭＣＮ３０へ接続する。そして、無線端末１００は、ＲＡＮ２０及びＭＣＮ３０を介して外部ネットワーク４０と通信する。外部ネットワーク４０は、インターネット、パケットデータネットワーク、若しくはＰＳＴＮ、又はこれらの組み合わせである。ＲＡＮ２０は、例えば、ＵＴＲＡＮ（Universal Terrestrial Radio Access Network）若しくはＥ−ＵＴＲＡＮ（Evolved UTRAN）、又はこれらの組み合わせである。ＵＴＲＡＮにおいては、基地局２００はＮｏｄｅＢ及びＲＮＣに対応する。Ｅ−ＵＴＲＡＮにおいては、基地局２００はｅＮＢ（E-UTRAN NodeB）に対応する。なお、図１では、説明の便宜のために１つの無線端末１００及び１つの基地局２００のみを示しているが、移動通信システムは複数の無線端末１００及び複数の基地局２００を含んでもよい。
【００２６】
無線端末１００は、ＮＡＳバックオフタイマ１１０を有する。ＮＡＳバックオフタイマ１１０は、無線端末１００からのＮＡＳ要求メッセージの送信抑止のために使用される。無線端末１００は、例えば、ＮＡＳ要求（e.g. アタッチ要求、コネクション要求、位置更新要求）に対する拒絶メッセージをＭＣＮ３０から受信したことに応じてＮＡＳバックオフタイマ１１０を活性化する。無線端末１００は、デタッチ（コネクション切断）する場合、緊急呼を起動する場合、およびページングに応答する場合などのいくつか例外を除いて、ＮＡＳバックオフタイマが満了するまで新たなＮＡＳ要求の送信を抑止する。ＥＰＳでは、ＮＡＳバックオフタイマは、Session Management back-off timer、Mobility Management back-off timer、又は back-off timer T3346と呼ばれる。ＮＡＳバックオフタイマ１００のタイマ値の決定手法については後述する。
【００２７】
ＭＣＮ３０は、主に移動通信サービスを提供するオペレータによって管理されるネットワークである。ＭＣＮ３０は、ＣＳ（Circuit Switched）コア若しくはＰＳ（Packet Switched）コア、又はこれらの組み合わせである。ＭＣＮ３０は、例えば、ＥＰＳにおけるＥＰＣ、若しくはＵＭＴＳにおけるＧＰＲＳ（General Packet Radio Service）パケットコア、又はこれらの組み合わせである。図１の例では、ＭＣＮ３０は、移動管理ノード３００、転送ノード３１０、及び加入者サーバ３２０を含む。
【００２８】
転送ノード３１０は、無線端末１００と外部ネットワーク４０の間で送受信されるユーザデータの転送又は回線交換を含むユーザプレーン機能を提供する。例えば、ＵＭＴＳの場合、転送ノード３１０は、ＭＳＣのユーザプレーン機能、ＳＧＳＮのユーザプレーン機能、及びＧＧＳＮ（Gateway GPRS Support Node）を含む。また、ＥＰＳの場合、転送ノード３１０は、Serving Gateway（Ｓ−ＧＷ）及びPDN Gateway（Ｐ−ＧＷ）を含む。
【００２９】
加入者サーバ３２０は、無線端末１００の加入者データを保持するデータベースであり、例えばＨＳＳ（Home Subscriber Server）又はＨＬＲ（Home Location Server）がこれに相当する。加入者サーバ３２０は、移動管理ノード３００の要求に応答して、移動管理ノード３００に加入者データを送信する。
【００３０】
移動管理ノード３００は、コントロールプレーンのノードであり、無線端末１００のモビリティ管理（e.g. 位置登録）、及びセッション（ベアラ）管理（e.g. ベアラ確立、ベアラ構成変更、ベアラ解放）などを行う。移動管理ノード３００は、無線端末１００との間でＮＡＳメッセージを送受信し、ＮＡＳバックオフタイマ１１０のタイマ値を無線端末１００に指示する。例えば、ＵＭＴＳの場合、移動管理ノード３００は、ＳＧＳＮのコントロールプレーン機能を含む。また、ＥＰＳの場合、移動管理ノード３００は、ＭＭＥを含む。
【００３１】
図２は、本実施形態を含む幾つかの実施形態に係る移動管理ノード３００の構成例を示している。図２の例では、移動管理ノード３００は、タイマ値決定部３０１及びタイマ値通知部３０２を含む。タイマ値決定部３０１は、ＮＡＳバックオフタイマ１１０のタイマ値（すなわちＮＡＳバックオフ時間）を決定する。なお、いくつかの実施形態では、ＮＡＳバックオフタイマ１００のタイマ値は、加入者サーバ３２０等の他のノードから移動管理ノード３００（タイマ値決定部３０１）に通知されてもよい。タイマ値通知部３０２は、決定されたタイマ値を無線端末１００に通知する。例えば、タイマ値通知部３０２は、無線端末１００からのＮＡＳ要求を拒絶する際に、タイマ値を含む拒絶メッセージ（e.g. Attach Rejectメッセージ、Service Rejectメッセージ、RAU Rejectメッセージ、又はTAU Rejectメッセージ）を送信する。タイマ値通知部３０２は、無線端末１００からのＮＡＳ要求を受諾する際に、タイマ値を含む受諾メッセージ（e.g. Attach Acceptメッセージ、Service Acceptメッセージ、RAU Acceptメッセージ、又はTAU Acceptメッセージ）を送信してもよい。
【００３２】
図３は、本実施形態を含む幾つかの実施形態に係る無線端末１００の構成例を示している。図３の例では、無線端末１００は、無線トランシーバ１０１、制御部１０２、及びＮＡＳバックオフタイマ１１０を含む。無線トランシーバ１０１は、ＲＡＮ２０との通信機能を有し、基地局２００と無線コネクションを接続する。すなわち、無線トランシーバ１０１は、複数の物理ダウンリンクチャネルを含むダウンリンク信号を基地局２００から受信する。また、無線トランシーバ１０１は、複数の物理アップリンクチャネルを含むアップリンク信号を基地局２００に送信する。制御部１０２は、無線トランシーバ１０１を介して、ＲＡＮ２０及びＭＣＮ３０とシグナリングメッセージを送受信し、ユーザデータの送受信又はＣＳコールのために無線トランシーバ１０１を制御する。さらに、制御部１０２は、ＮＡＳバックオフタイマ１１０のタイマ値を無線トランシーバ１０１を介して移動管理ノード３００から受信し、当該タイマ値に基づいてＮＡＳバックオフタイマ１１０を設定する。そして、制御部１０２は、ＮＡＳ要求が拒絶された場合などの所定の条件において、ＮＡＳバックオフタイマ１１０を活性化する（作動させる）。制御部１０２は、ＮＡＳバックオフタイマ１１０が満了するか又は所定のタイマ停止条件が成立するまで、いくつか例外を除いて、新たなＮＡＳ要求の送信を抑止する。いくつかの例外は、例えば、デタッチ（コネクション切断）する場合、緊急呼を起動する場合、およびページングに応答する場合のうち少なくとも１つを含む。ＥＰＳの場合、抑止されるＮＡＳ要求メッセージは、Service Request、PDN Connectivity Request、Bearer Resource Allocation Request、Bearer Resource Modification Request、Attach Request、及びTracking Area Update Requestのうち少なくとも１つを含んでもよい。
【００３３】
続いて以下では、第１の実施形態に係るＮＡＳバックオフ時間（ＮＡＳバックオフタイマ１１０のタイマ値）の決定に関して説明する。本実施の形態では、移動管理ノード３００は、無線端末１００にインストールされたソフトウェア、又はソフトウェアのバージョン若しくはリビジョンを示すソフトウェア情報に基づいて、無線端末１００に課すＮＡＳバックオフ時間（ＮＡＳバックオフタイマ１１０のタイマ値）を決定する。ソフトウェア情報は、無線端末１００のアタッチ又は位置更新などの際に、無線端末１００からＭＣＮ３０に送られてもよい。また、ソフトウェア情報は、加入者サーバ３２０から移動管理ノード３００に送られてもよい。ソフトウェア情報は、例えば、無線端末１００の識別情報の一部として含まれてもよい。ソフトウェア情報は、例えば、ＩＭＥＩＳＶ（International Mobile Equipment Identity Software Version）に含まれる２桁のＳＶＮ（Software Version Number）であってもよい。ＳＶＮは、無線端末１００にインストールされたソフトウェアのリビジョンを示すためのコードである。
【００３４】
移動管理ノード３００は、無線端末１００のソフトウェア情報に対応付けられた決定ポリシに従って、無線端末１００に課すＮＡＳバックオフ時間（ＮＡＳバックオフタイマ１１０のタイマ値）を決定してもよい。つまり、無線端末１００のソフトウェア情報に基づいてＮＡＳバックオフ時間の決定ポリシが変更されることによって、最終的に無線端末１００のソフトウェア情報に応じたＮＡＳバックオフ時間が決定される。言い換えると、無線端末１００のソフトウェア情報がＮＡＳバックオフ時間の決定ポリシに対応付けられると言うことができる。また、無線端末１００のソフトウェア情報がＮＡＳバックオフ時間の決定ポリシを示すということもできる。
【００３５】
移動管理ノード３００は、ソフトウェア情報に対応に対応するＮＡＳバックオフ時間の決定ポリシを自ら判定してもよいし、他のノード（e.g. 加入者サーバ３２０）から無線端末１００のソフトウェア情報に対応付けられた決定ポリシを受信してもよい。ＮＡＳバックオフ時間の決定ポリシは、例えば、ＮＡＳバクオフ時間の長さ、及びＮＡＳバックオフ時間が固定的かランダムか否かを規定する。ＮＡＳバックオフ時間の決定ポリシの候補は、例えば、（ａ）ＮＡＳバックオフ時間を第１の固定位置（e.g. １０分）とする、（ｂ）ＮＡＳバック時間を第２の固定位置（e.g. ３０分）とする、（ｃ）ＮＡＳバックオフ時間を１０分〜３０分の間でランダムに決定する、及び（ｄ）ＮＡＳバックオフ時間を３０分〜１００分の間でランダムに決定する、等のバリエーションを含んでもよい。移動管理ノード３００は、これらのＮＡＳバックオフ時間の決定ポリシ候補の中から、無線端末１００のソフトウェア情報に基づいて１の決定ポリシを選択すればよい。
【００３６】
図４は、本実施形態に係るＮＡＳバックオフ時間（ＮＡＳバックオフタイマ１１０のタイマ値）の決定手順の一例を示すフローチャートである。ステップＳ１１では、移動管理ノード３００（タイマ値決定部３０１）は、無線端末１００のソフトウェア情報を取得する。ステップＳ１２では、移動管理ノード３００（タイマ値決定部３０１）は、無線端末１００のソフトウェア情報に基づいて無線端末１００に課すＮＡバックオフタイマ値を決定する。
【００３７】
図５は、本実施形態に係るＮＡＳレベル輻輳制御手順の一例を示すシーケンス図である。図５は、無線端末１００のソフトウェア情報の移動管理ノード３００による取得が、無線端末１００からのＮＡＳ要求を契機として行われる例を示している。ステップＳ１１１では、無線端末１００は、無線端末１００のソフトウェア情報を含むＮＡＳ要求メッセージを移動管理ノード３００に送信する。このＮＡＳ要求メッセージは、例えば、アタッチ要求、位置更新要求（e.g. TAU Request、RAU Request）、又はサービス要求である。
【００３８】
ステップＳ１１２では、移動管理ノード３００は、無線端末１００のソフトウェア情報に基づいて、無線端末１００のＮＡＳバックオフタイマ値を決定する。ステップＳ１１３では、コアネットワーク３０の過負荷又は輻輳を理由に、移動管理ノード３００はＮＡＳ拒絶メッセージを無線端末１００に送信する。ステップＳ１１３の拒絶メッセージは、ステップＳ１１１のＮＡＳ要求を拒絶することを示し、ＮＡＳバックオフタイマ値を含む。
【００３９】
ステップＳ１１４では、無線端末１００は、移動管理ノード３００から通知されたタイマ値に基づいてＮＡＳバックオフタイマ１１０を設定し、タイマ１１０を活性化する。なお、ステップＳ１１４において、無線端末１００は、移動管理ノード３００から通知されたタイマ値をパラメータ（e.g. 上限値）として用いて、ランダム化されたタイマ値を決定してもよい。
【００４０】
上述したように、本実施形態は、無線端末１００にインストールされたソフトウェア、又はソフトウェアのバージョン若しくはリビジョンを示すソフトウェア情報に基づいて、無線端末１００に課すＮＡＳバックオフ時間（ＮＡＳバックオフタイマ１１０のタイマ値）を決定する。したがって、本実施形態は、無線端末１００にインストールされたソフトウェアに応じたＮＡＳレベル輻輳制御を行うことができる。例えば、同じ製造元又は同じ機種の無線端末が複数の用途で使用され、用途によって通信量、時間（遅延）に対する寛容性（time tolerance）、又はプライオリティなどが異なる場合がある。この場合、無線端末１００のハードウェア識別情報（e.g. ＩＭＥＩ）を参照しただけでは、無線端末１００の通信量、時間（遅延）に対する寛容性（time tolerance）、又はプライオリティなどを特定できない可能性がある。これに対して、本実施形態は、例えば、無線端末１００のソフトウェア情報を参照し、ソフトウェア情報に基づいて無線端末１００の通信量、時間（遅延）に対する寛容性（time tolerance）、又はプライオリティなどを決定できる。したがって、同じ製造元又は同じ機種の無線端末が複数の用途で利用される場合であっても、無線端末１００の用途に応じた適切なＮＡＳバックオフ時間を決定できる。したがって、本実施形態は、ＮＡＳレベル輻輳制御の改善に寄与することができる。
【００４１】
また、本実施形態の具体例の１つでは、ソフトウェア情報の１つとしてＩＭＥＩＳＶ内のＳＶＮ（Software Version Number）を用いる。ＩＭＥＩは、無線端末１００のハードウェアに定められた固定コードであるのに対して、ＳＶＮは設定可能である。したがって、モバイルオペレータ又は無線端末１００の製造者はＳＶＮを例えば事後的に設定することができる。このため、ＳＶＮを利用することで、特定の端末グループ（e.g. 低プライオリティ端末）を容易に指定することができ、特定の端末グループに特有のＰＡを容易に決定することができる。
【００４２】
＜第２の実施形態＞
本実施形態に係る移動通信システムの構成、移動管理ノード３００の構成、及び無線端末１００の構成は、図１〜図３と同様とすればよい。本実施形態では、移動管理ノード３００（タイマ値決定部３０１）は、無線端末１００の加入者データを加入者サーバ３２０から取得し、無線端末１００に課すＮＡＳバックオフ時間（ＮＡＳバックオフタイマ１１０のタイマ値）を加入者データに基づいて決定するよう構成されている。言い換えると、移動管理ノード３００は、無線端末１００から受信した情報ではなく、加入者データに含まれる情報（e.g. プライオリティ情報、タイマ決定ポリシ）に従って無線端末１００に課すＮＡＳバックオフ時間を決定するよう動作する。
【００４３】
図６は、本実施形態に係るＮＡＳバックオフ時間（ＮＡＳバックオフタイマ１１０のタイマ値）の決定手順の一例を示すフローチャートである。ステップＳ２１では、移動管理ノード３００（タイマ値決定部３０１）は、無線端末１００の加入者データを加入者サーバ３２０から取得する。ステップＳ２２では、移動管理ノード３００（タイマ値決定部３０１）は、無線端末１００の加入者データに基づいて無線端末１００に課すＮＡバックオフタイマ値を決定する。
【００４４】
加入者データは、無線端末１００のプライオリティレベルを示すプライオリティ情報を含んでもよい。プライオリティ情報は、無線端末１００が低プライオリティであるか否かを直接的に明示するフラグ情報であってもよい。なお、本実施形態ではプライオリティレベルがＮＡＳバックオフ時間の決定に利用されるため、プライオリティレベルは、無線端末１００の時間に対する寛容さ（time tolerance）に関係付けられてもよい。すなわち、遅延を許容する無線端末は、遅延を許容しない通信を行う端末に比べて低プライオリティとされてもよい。そして、移動管理ノード３００は、無線端末１００が低プライオリティであると判定した場合に、そうでない場合に比べて長い値をＮＡＳバックオフタイマ値として決定してもよい。例えば、プライオリティ情報は、無線端末１００が遅延を許容する特定のＭＴＣ（Machine Type Communication）に対応付けられているか否かを示してもよい。この場合、プライオリティ情報は、無線端末１００の種別（機種）情報であってもよい。無線端末１００の種別情報は、一般の携帯端末（e.g. 携帯電話、スマートフォン、及びタブレットコンピュータ）、自動車、鉄道車両、自動販売機といった無線端末１００が搭載される機器の相違に基づいて付与されてもよい。無線端末１００が搭載される機器の相違は、時間に対する寛容さ（time tolerance）の相違を間接的に示す。
【００４５】
また、加入者データは、ＮＡＳバックオフ時間の決定ポリシを示すポリシ情報を含んでもよい。この場合、移動管理ノード３００は、無線端末１００の加入者データによって指定された決定ポリシに従って、無線端末１００に課すＮＡＳバックオフ時間（ＮＡＳバックオフタイマ１１０のタイマ値）を決定すればよい。図７は、加入者サーバ３２０に保持される決定ポリシ（ポリシ情報）の具体例を示している。図７に示されているように、加入者サーバ３２０は、複数の無線端末１００の各々について、移動種別を無線端末識別子（ＭＳＩＤ）と関連付けて保持すればよい。ＭＳＩＤは、加入者識別子と呼ばれる場合もある。ＭＳＩＤは、例えばＩＭＳＩ（International Mobile Subscriber Identity）である。図７には、タイプＡ〜タイプＣの３通り決定ポリシが示されている。タイプＡは、バックオフタイマ値が固定値（e.g. ３０分）とされることを示す。タイプＢは、バックオフタイマ値が第１の時間範囲内（e.g. １０分〜３０分）でランダムに決定されることを示す。タイプＣは、バックオフタイマ値が第２の時間範囲内（e.g. ３０分〜１００分）でランダムに決定されることを示す。
【００４６】
図８は、本実施形態に係るＮＡＳレベル輻輳制御手順の一例を示すシーケンス図である。図８は、無線端末１００からのＮＡＳ要求（e.g. アタッチ要求又は位置更新要求）の際に、移動管理ノード３００が加入者データを取得する手順を示している。ステップＳ２１１では、無線端末１００は、ＮＡＳ要求メッセージを移動管理ノード３００に送信する。ステップＳ２１２では、移動管理ノード３００は、ＮＡＳ要求メッセージの受信に応答して、加入者サーバ３２０に当該無線端末１００の加入者データの送信を要求する。ステップＳ２１２で送信される要求は、無線端末１００のＭＳＩＤ（ただし、加入者サーバ３２０によって管理されているＩＤ、例えばＩＭＳＩ）を含む。ステップＳ２１３では、移動管理ノード３００は、無線端末１００の加入者データを加入者サーバ３２０から受信する。この加入者データは、例えば、無線端末１００のプライオリティ情報、又は無線端末１００に適用されるＮＡＳバックオフ時間の決定ポリシを含む。
【００４７】
ステップＳ２１４では、移動管理ノード３００は、無線端末１００の加入者データ（e.g プライオリティ情報または決定ポリシ）に基づいて、無線端末１００のＮＡＳバックオフタイマ値を決定する。ステップＳ２１５では、コアネットワーク３０の過負荷又は輻輳を理由に、移動管理ノード３００はＮＡＳ拒絶メッセージを無線端末１００に送信する。ステップＳ２１５の拒絶メッセージは、ステップＳ２１１のＮＡＳ要求を拒絶することを示し、ＮＡＳバックオフタイマ値を含む。
【００４８】
ステップＳ２１６では、無線端末１００は、移動管理ノード３００から通知されたタイマ値に基づいてＮＡＳバックオフタイマ１１０を設定し、タイマ１１０を活性化する。なお、ステップＳ２１６において、無線端末１００は、移動管理ノード３００から通知されたタイマ値をパラメータ（e.g. 上限値）として用いて、ランダム化されたタイマ値を決定してもよい。
【００４９】
なお、例えば無線端末１００の位置更新要求に応答して加入者データを取得する場合、移動管理ノード３００は、加入者サーバ３２０ではなく旧移動管理ノードから無線端末１００の加入者データを取得してもよい。この場合、移動管理ノード３００は、加入者サーバ３２０に加入者データの送信を要求しなくてもよい。なお、旧移動管理ノードは、無線端末１００が過去に位置した位置登録エリアを管理する移動管理ノードであり、無線端末１００のアタッチの際に加入者サーバ３２０から受信した加入者データを保持している。
【００５０】
図９は、本実施形態に係るＮＡＳレベル輻輳制御手順の他の例を示すシーケンス図である。ステップＳ２２１〜Ｓ２２３における処理は、図８のステップＳ２１１〜Ｓ２１３における処理と同様である。ステップＳ２２４では、移動管理ノード３００は、無線端末１００の加入者データに基づいて決定したＮＡＳバックオフタイマ値又はタイマ決定ポリシを無線端末１００に関するコンテキスト（e.g. UE CONTEXT）として保持する。ステップＳ２２５では、移動管理ノード３００は、ステップＳ２２１のＮＡＳ要求メッセージに対する受諾メッセージを送信する。
【００５１】
ステップＳ２２６では、無線端末１００は、ＮＡＳ要求メッセージを移動管理ノード３００に送信する。ステップＳ２２７では、コアネットワーク３０の過負荷又は輻輳を理由に、移動管理ノード３００はＮＡＳ拒絶メッセージを無線端末１００に送信する。ステップＳ２２７の拒絶メッセージは、ステップＳ２２７のＮＡＳ要求を拒絶することを示し、ステップＳ２２４で決定されたＮＡＳバックオフタイマ値または決定ポリシに基づくＮＡＳバックオフタイマ値を含む。ステップＳ２２８では、無線端末１００は、移動管理ノード３００から通知されたタイマ値に基づいてＮＡＳバックオフタイマ１１０を設定し、タイマ１１０を活性化する。
【００５２】
上述したように、本実施形態は、無線端末１００に課されるＮＡＳバックオフタイマ値を無線端末１００の加入者データに基づいて決定する。すなわち、本実施形態は、無線端末１００毎に異なるＮＡＳバックオフタイマを決定する機構をコアネットワーク３０の対処（改良）によって導入できるため、無線端末１００に与えるインパクトが小さいという利点がある。また、同じ製造元、同じ機種、又は同じソフトウェアバージョン（リビジョン）の無線端末が複数の用途で使用され、用途によって通信量、時間（遅延）に対する寛容性（time tolerance）、又はプライオリティなどが異なる場合がある。この場合に、本実施形態は、加入者データの設定によって対処することで、無線端末１００毎に異なるＮＡＳバックオフタイマを決定することができる。
【００５３】
さらにまた、加入者データは、モバイルオペレータの都合で変更することができ、例えば一時的に変更することもできる。このため、本実施形態は、第１の実施形態で述べたソフトウェア情報などの無線端末１００を用いる場合に比べて、無線端末１００に適用されるＮＡＳバックオフ時間又はその決定ポリシの動的な又は一時的な変更を容易に行うことができる。
【００５４】
＜第３の実施形態＞
本実施形態に係る移動通信システムの構成、移動管理ノード３００の構成、及び無線端末１００の構成は、図１〜図３と同様とすればよい。本実施形態では、移動管理ノード３００（タイマ値決定部３０１）は、無線端末１００がＲＡＮ２０及びＭＣＮ３０を介して通信する外部ネットワーク４０に基づいて、無線端末１００に課すＮＡＳバックオフ時間（ＮＡＳバックオフタイマ１１０のタイマ値）を決定するよう構成されている。言い換えると、移動管理ノード３００（タイマ値決定部３０１）は、無線端末１００がいずれの外部ネットワーク４０と通信するかに応じて、無線端末１００に課すＮＡＳバックオフ時間（ＮＡＳバックオフタイマ１１０のタイマ値）を変更するよう構成されている。移動管理ノード３００は、無線端末１００が通信する外部ネットワーク４０の識別情報（e.g. ＡＰＮ）を無線端末１００又は加入者サーバ３２０から取得してもよい。
【００５５】
例えば、移動管理ノード３００は、外部ネットワーク４０の識別情報（e.g. ＡＰＮ）が低プライオリティ通信用のネットワークを示す場合に、そうでない場合に比べて長いＮＡＳバックオフ時間を無線端末１００に課してもよい。低プライオリティ通信用のネットワークは、例えば、時間に寛容な（遅延を許容可能な）特定のＭＴＣサービス用のネットワークである。時間に寛容な（遅延を許容可能な）特定のＭＴＣサービスは、例えば、スマートメータリングである。一方、移動管理ノード３００は、外部ネットワーク４０の識別情報（e.g. ＡＰＮ）が高プライオリティ通信用ネットワークを示す場合に、そうでない場合に比べて短いＮＡＳバックオフ時間を無線端末１００に課してもよい。
【００５６】
移動管理ノード３００は、無線端末１００が通信する外部ネットワーク４０に対応付けられた決定ポリシに従って、無線端末１００に課すＮＡＳバックオフ時間（ＮＡＳバックオフタイマ１１０のタイマ値）を決定してもよい。つまり、無線端末１００が通信する外部ネットワーク４０に基づいてＮＡＳバックオフ時間の決定ポリシが変更されることによって、最終的に外部ネットワーク４０に応じたＮＡＳバックオフ時間が決定される。言い換えると、無線端末１００が通信する外部ネットワーク４０がＮＡＳバックオフ時間の決定ポリシに対応付けられると言うことができる。また、無線端末１００が通信する外部ネットワーク４０の識別情報（e.g. ＡＰＮ）がＮＡＳバックオフ時間の決定ポリシを示すということもできる。
【００５７】
図１０は、本実施形態に係るＮＡＳバックオフ時間（ＮＡＳバックオフタイマ１１０のタイマ値）の決定手順の一例を示すフローチャートである。ステップＳ３１では、移動管理ノード３００（タイマ値決定部３０１）は、無線端末１００が通信する外部ネットワーク４０の識別情報（e.g. ＡＰＮ）を取得する。ステップＳ３２では、移動管理ノード３００（タイマ値決定部３０１）は、外部ネットワーク４０の識別情報（e.g. ＡＰＮ）に基づいて無線端末１００に課すＮＡバックオフタイマ値を決定する。
【００５８】
図１１は、本実施形態に係るＮＡＳレベル輻輳制御手順の第１の例を示すシーケンス図である。図１１の例では、移動管理ノード３００は、外部ネットワーク４０の識別情報を無線端末１００から受信する。すなわち、ステップＳ３１１では、無線端末１００は、外部ネットワーク４０の識別情報（e.g. ＡＰＮ）を含むＮＡＳ要求メッセージを移動管理ノード３００に送信する。このＮＡＳ要求メッセージは、例えば、アタッチ要求、位置更新要求（e.g. TAU Request、RAU Request）、コネクション要求、又はサービス要求である。
【００５９】
ステップＳ３１２では、移動管理ノード３００は、無線端末１００が通信する外部ネットワーク４０の識別情報に基づいて、無線端末１００のＮＡＳバックオフタイマ値を決定する。ステップＳ３１３では、コアネットワーク３０の過負荷又は輻輳を理由に、移動管理ノード３００はＮＡＳ拒絶メッセージを無線端末１００に送信する。ステップＳ３１３の拒絶メッセージは、ステップＳ３１１のＮＡＳ要求を拒絶することを示し、ＮＡＳバックオフタイマ値を含む。
【００６０】
ステップＳ３１４では、無線端末１００は、移動管理ノード３００から通知されたタイマ値に基づいてＮＡＳバックオフタイマ１１０を設定し、タイマ１１０を活性化する。なお、ステップＳ３１４において、無線端末１００は、移動管理ノード３００から通知されたタイマ値をパラメータ（e.g. 上限値）として用いて、ランダム化されたタイマ値を決定してもよい。
【００６１】
図１２は、本実施形態に係るＮＡＳレベル輻輳制御手順の第２の例を示すシーケンス図である。図１２の例では、移動管理ノード３００は、無線端末１００が通信する外部ネットワーク４０の識別情報（e.g. ＡＰＮ）を加入者サーバ３２０から取得する。図１２の手順は、ステップＳ３２３における加入者データが外部ネットワーク４０の識別情報（e.g. 契約ＡＰＮ）を含むことを除いて、図８に示した手順と同様である。すなわち、ステップＳ３２１〜Ｓ３２３では、移動管理ノード３００は、無線端末１００からのＮＡＳ要求を受信し、加入者データの送信を加入者サーバ３２０に要求し、加入者サーバ３２０から加入者データを受信する。この加入者データは、無線端末１００が通信する外部ネットワーク４０の識別情報（e.g. 契約ＡＰＮ）を含む。
【００６２】
ステップＳ３２４では、移動管理ノード３００は、無線端末１００が通信する外部ネットワーク４０の識別情報に基づいて、無線端末１００のＮＡＳバックオフタイマ値を決定する。ステップＳ３２５〜Ｓ３２６における処理は、図８のステップＳ２１５〜Ｓ２１６における処理と同様とすればよい。
【００６３】
なお、例えば無線端末１００の位置更新要求に応答して加入者データを取得する場合、移動管理ノード３００は、加入者サーバ３２０ではなく旧移動管理ノードから無線端末１００の加入者データを取得してもよい。この場合、移動管理ノード３００は、加入者サーバ３２０に加入者データの送信を要求しなくてもよい。
【００６４】
図１３は、本実施形態に係るＮＡＳレベル輻輳制御手順の第３の例を示すシーケンス図である。図１３は、図９と同様に、移動管理ノード３００がＮＡＳ要求を受け付けた後に、別のＮＡＳ要求を拒絶する場合を示している。ステップＳ３３１〜Ｓ３３３における処理は、図１２のステップＳ３２１〜Ｓ３２３における処理と同様である。ステップＳ３３４では、移動管理ノード３００は、無線端末１００が通信する外部ネットワーク４０の識別情報に基づいて決定したＮＡＳバックオフタイマ値又はタイマ決定ポリシを無線端末１００に関するコンテキスト（e.g. UE CONTEXT）として保持する。ステップＳ３３５では、移動管理ノード３００は、ステップＳ３３１のＮＡＳ要求メッセージに対する受諾メッセージを送信する。その後のステップＳ３３６〜Ｓ３３８における処理は、図９に示したステップＳ２２６〜Ｓ２２８における処理と同様とすればよい。
【００６５】
上述したように、本実施形態は、無線端末１００が通信する外部ネットワーク４０に基づいて、無線端末１００に課すＮＡＳバックオフ時間（ＮＡＳバックオフタイマ１１０のタイマ値）を決定する。外部ネットワーク４０に応じてＮＡＳバックオフ時間を決定することは、外部ネットワーク４０が無線端末１００の通信量、時間（遅延）に対する寛容性（time tolerance）、又はプライオリティ等と関連性を有する場合に特に有効である。無線端末１００が通信を行う外部ネットワーク４０は、モバイルオペレータとの契約、又は無線端末１００が利用するサービスに応じて決定される。したがって、例えば、特定のＭＴＣサービスに使用される無線端末１００は、このＭＴＣサービス専用の外部ネットワーク４０と通信することが考えられる。この場合、移動管理ノード３００は、無線端末１００が通信する外部ネットワーク４０に応じて、無線端末１００の時間に対する寛容性（time tolerance）又はプライオリティレベルを判定することができ、これらに応じた適切なＮＡＳバックオフ時間を決定することができる。
【００６６】
＜その他の実施形態＞
上述した第１〜第３の実施形態は、適宜組み合わせて実施されてもよい。
【００６７】
第１〜第３の実施形態は、移動管理ノード３００がＮＡＳバックオフタイマ値の決定を行う例を示した。しかしながら、ＮＡＳバックオフタイマ値の決定は、移動管理ノード３００とは異なる他のノードによって行われてもよい。例えば、ＮＡＳバックオフタイマ値の決定は、コアネットワーク３０に配置される他のネットワークノード（e.g. 加入者サーバ３２０）、又はネットワーク管理システムによって行われてもよい。ネットワーク管理システムは、ＯＡＭ（Operation Administration and Maintenance）サーバ、ＯＭＣ（Operation and Maintenance Centre）、ＮＭ（Network Manager）、又はＥＭ（Element Manager）と呼ばれる場合もある。この場合、移動管理ノード３００は、無線端末１００のＮＡＳバックオフタイマ値を他のネットワークノード又はネットワーク管理システムから受信し、そのバックオフタイマ値を無線端末１００に送信すればよい。
【００６８】
第１〜第３の実施形態で説明したＮＡＳバックオフタイマ値の決定処理は、ＡＳＩＣ（Application Specific Integrated Circuit）を含む半導体処理装置を用いて実現されてもよい。また、これらの処理は、少なくとも１つのプロセッサ（e.g. マイクロプロセッサ、ＭＰＵ、ＤＳＰ（Digital Signal Processor））を含むコンピュータシステムにプログラムを実行させることによって実現されてもよい。具体的には、フローチャート及びシーケンス図等を用いて説明されたＮＡＳバックオフタイマ値の決定に関するアルゴリズムをコンピュータシステムに行わせるための命令群を含む１又は複数のプログラムを作成し、当該プログラムをコンピュータに供給すればよい。同様に、無線端末１００によるＮＡＳバックオフタイマ１１０の設定及び活性化も、コンピュータシステムにプログラムを実行させることによって実現されてもよい。
【００６９】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７０】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００７１】
例えば、上記の実施形態の一部又は全部は、以下の付記のようにも記載されうるが、以下には限られない。
【００７２】
（付記Ａ１）
ＮＡＳ（Non-Access Stratum）要求メッセージの送信抑止のために無線端末に配置されるＮＡＳバックオフタイマのタイマ値を前記無線端末に通知する通知部を備え、
前記タイマ値は、前記無線端末にインストールされたソフトウェア又は前記ソフトウェアのバージョン若しくはリビジョンを示すソフトウェア情報に基づいて決定される、
コアネットワークノード。
（付記Ａ２）
前記ソフトウェア情報は、前記無線端末からコアネットワークに送信される、付記Ａ１に記載のコアネットワークノード。
（付記Ａ３）
前記ソフトウェア情報は、ＩＭＥＩＳＶ（International Mobile Equipment Identity Software Version）内のＳＶＮ（Software Version Number）を含む、付記Ａ１又はＡ２に記載のコアネットワークノード。
（付記Ａ４）
前記タイマ値は、前記ソフトウェア情報に対応付けられた決定ポリシに従って決定される、付記Ａ１〜Ａ３のいずれか１項に記載のコアネットワークノード。
（付記Ａ５）
前記決定ポリシは、前記タイマ値が予め定められた固定値とされる第１のポリシ、及び前記タイマ値がランダムに決定される第２のポリシを含む複数のポリシから選択される、付記Ａ４に記載のコアネットワークノード。
（付記Ａ６）
前記ＮＡＳ要求メッセージは、Service Request、PDN Connectivity Request、Bearer Resource Allocation Request、Bearer Resource Modification Request、Attach Request、及びTracking Area Update Requestのうち少なくとも１つを含む、付記Ａ１〜Ａ５のいずれか１項に記載のコアネットワークノード。
（付記Ａ７）
無線端末であって、
前前記無線端末にインストールされたソフトウェア又は前記ソフトウェアのバージョン若しくはリビジョンを示すソフトウェア情報に基づいて決定されたタイマ値を受信し、ＮＡＳ（Non-Access Stratum）要求メッセージの送信抑止のためのＮＡＳバックオフタイマを前記タイマ値に基づいて設定し、前記バックオフタイマを活性化する制御部を備える、
無線端末。
（付記Ａ８）
前記ソフトウェア情報は、前記無線端末からコアネットワークに送信される、付記Ａ７に記載の無線端末。
（付記Ａ９）
前記ソフトウェア情報は、ＩＭＥＩＳＶ（International Mobile Equipment Identity Software Version）内のＳＶＮ（Software Version Number）を含む、付記Ａ７又はＡ８に記載の無線端末。
（付記Ａ１０）
前記ＮＡＳ要求メッセージは、Service Request、PDN Connectivity Request、Bearer Resource Allocation Request、Bearer Resource Modification Request、Attach Request、及びTracking Area Update Requestのうち少なくとも１つを含む、付記Ａ７〜Ａ９のいずれか１項に記載の無線端末。
（付記Ａ１１）
輻輳制御のための方法であって、
ＮＡＳ（Non-Access Stratum）要求メッセージの送信抑止のために無線端末に配置されるＮＡＳバックオフタイマのタイマ値を前記無線端末に通知することを備え、
前記タイマ値は、前記無線端末にインストールされたソフトウェア又は前記ソフトウェアのバージョン若しくはリビジョンを示すソフトウェア情報に基づいて決定される、
方法。
（付記Ａ１２）
前記ソフトウェア情報は、前記無線端末からコアネットワークに送信される、付記Ａ１１に記載の方法。
（付記Ａ１３）
前記ソフトウェア情報は、ＩＭＥＩＳＶ（International Mobile Equipment Identity Software Version）内のＳＶＮ（Software Version Number）を含む、付記Ａ１１又はＡ１２に記載の方法。
（付記Ａ１４）
前記タイマ値は、前記ソフトウェア情報に対応付けられた決定ポリシに従って決定される、付記Ａ１１〜Ａ１３のいずれか１項に記載の方法。
（付記Ａ１５）
前記決定ポリシは、前記タイマ値が予め定められた固定値とされる第１のポリシ、及び前記タイマ値がランダムに決定される第２のポリシを含む複数のポリシから選択される、付記Ａ１４に記載の方法。
（付記Ａ１６）
輻輳制御のための方法をコンピュータに行わせるための方法であって、
前記方法は、ＮＡＳ（Non-Access Stratum）要求メッセージの送信抑止のために無線端末に配置されるＮＡＳバックオフタイマのタイマ値を前記無線端末に通知することを含み、
前記タイマ値は、前記無線端末にインストールされたソフトウェア又は前記ソフトウェアのバージョン若しくはリビジョンを示すソフトウェア情報に基づいて決定される、
プログラム。
【００７３】
（付記Ｂ１）
無線端末の加入者データを加入者サーバから取得し、ＮＡＳ（Non-Access Stratum）要求メッセージの送信抑止のために無線端末に配置されるＮＡＳバックオフタイマのタイマ値を前記加入者データに基づいて決定する決定部と、
前記タイマ値を前記無線端末に通知する通知部と、
を備える、コアネットワークノード。
（付記Ｂ２）
前記加入者データは、前記無線端末が低プライオリティであるか否かを示すプライオリティ情報を含む、付記Ｂ１に記載のコアネットワークノード。
（付記Ｂ３）
前記決定部は、前記無線端末が低プライオリティであると判定された場合に、そうでない場合に比べて長い値を前記タイマ値として決定する、付記Ｂ２に記載のコアネットワークノード。
（付記Ｂ４）
前記プライオリティ情報は、前記無線端末がＭＴＣ（Machine Type Communication）に対応付けられているか否かを示す、付記Ｂ２又はＢ３に記載のコアネットワークノード。
（付記Ｂ５）
前記加入者データは、前記タイマ値の決定ポリシを含む、付記Ｂ１に記載のコアネットワークノード。
（付記Ｂ６）
前記決定部は、前記決定ポリシに従って前記タイマ値を決定する、付記Ｂ５に記載のコアネットワークノード。
（付記Ｂ７）
前記決定ポリシは、前記タイマ値が予め定められた固定値とされる第１のポリシ、及び前記タイマ値がランダムに決定される第２のポリシを含む複数のポリシの中から選択され、前記無線端末に対応付けて前記加入者サーバに保持される、付記Ｂ５又はＢ６に記載のコアネットワークノード。
（付記Ｂ８）
前記ＮＡＳ要求メッセージは、Service Request、PDN Connectivity Request、Bearer Resource Allocation Request、Bearer Resource Modification Request、Attach Request、及びTracking Area Update Requestのうち少なくとも１つを含む、付記Ｂ１〜Ｂ７のいずれか１項に記載のコアネットワークノード。
（付記Ｂ９）
請求項１〜８のいずれか１項に記載のコアネットワークノードからタイマ値を受信し、ＮＡＳ（Non-Access Stratum）要求メッセージの送信抑止のためのＮＡＳバックオフタイマを前記タイマ値に基づいて設定し、前記バックオフタイマを活性化する制御部を備える、
無線端末。
（付記Ｂ１０）
輻輳制御のための方法であって、
無線端末の加入者データを加入者サーバから取得し、ＮＡＳ（Non-Access Stratum）要求メッセージの送信抑止のために無線端末に配置されるＮＡＳバックオフタイマのタイマ値を前記加入者データに基づいて決定すること、及び
前記タイマ値を前記無線端末に通知すること、
を備える方法。
（付記Ｂ１１）
前記加入者データは、前記無線端末が低プライオリティであるか否かを示すプライオリティ情報を含む、付記Ｂ１０に記載の方法。
（付記Ｂ１２）
前記決定部は、前記無線端末が低プライオリティであると判定された場合に、そうでない場合に比べて長い第１の値を前記タイマ値として決定する、付記Ｂ１１に記載の方法。
（付記Ｂ１３）
前記プライオリティ情報は、前記無線端末がＭＴＣ（Machine Type Communication）に対応付けられているか否かを示す、付記Ｂ１１又はＢ１２に記載の方法。
（付記Ｂ１４）
前記加入者データは、前記タイマ値の決定ポリシを含む、付記Ｂ１０に記載の方法。
（付記Ｂ１５）
前記決定することは、前記決定ポリシに従って前記タイマ値を決定することを含む、付記Ｂ１４に記載の方法。
（付記Ｂ１６）
前記決定ポリシは、前記タイマ値が予め定められた固定値とされる第１のポリシ、及び前記タイマ値がランダムに決定される第２のポリシを含む複数のポリシの中から選択され、前記無線端末に対応付けて前記加入者サーバに保持される、付記Ｂ１４又は１５に記載の方法。
（付記Ｂ１７）
輻輳制御のための方法をコンピュータに行わせるための方法であって、
前記方法は、
無線端末の加入者データを加入者サーバから取得し、ＮＡＳ（Non-Access Stratum）要求メッセージの送信抑止のために無線端末に配置されるＮＡＳバックオフタイマのタイマ値を前記加入者データに基づいて決定すること、及び
前記タイマ値を前記無線端末に通知すること、
を含む、
プログラム。
【００７４】
（付記Ｃ１）
ＮＡＳ（Non-Access Stratum）要求メッセージの送信抑止のために無線端末に配置されるＮＡＳバックオフタイマのタイマ値を前記無線端末に通知する通知部を備え、
前記タイマ値は、前記無線端末が無線アクセスネットワーク及びコアネットワークを介して通信する外部ネットワークに基づいて決定される、
コアネットワークノード。
（付記Ｃ２）
前記タイマ値は、前記外部ネットワークが低プライオリティ用の第１のネットワークである場合に、そうではない場合に比べて長い値に決定される、付記Ｃ１に記載のコアネットワークノード。
（付記Ｃ３）
前記第１のネットワークは、ＭＴＣ（Machine Type Communication）に対応付けられたネットワークである、付記Ｃ２に記載のコアネットワークノード。
（付記Ｃ４）
前記タイマ値は、前記外部ネットワークに対応付けられた決定ポリシに従って決定される、付記Ｃ１〜Ｃ３のいずれか１項に記載のコアネットワークノード。
（付記Ｃ５）
前記決定ポリシは、前記タイマ値が予め定められた固定値とされる第１のポリシ、及び前記タイマ値がランダムに決定される第２のポリシを含む複数のポリシから選択される、付記Ｃ４に記載のコアネットワークノード。
（付記Ｃ６）
前記ＮＡＳ要求メッセージは、Service Request、PDN Connectivity Request、Bearer Resource Allocation Request、Bearer Resource Modification Request、Attach Request、及びTracking Area Update Requestのうち少なくとも１つを含む、付記Ｃ１〜Ｃ５のいずれか１項に記載のコアネットワークノード。
（付記Ｃ７）
無線端末であって、
前記無線端末が無線アクセスネットワーク及びコアネットワークを介して通信する外部ネットワークに応じて決定されたタイマ値を受信し、ＮＡＳ（Non-Access Stratum）要求メッセージの送信抑止のためのＮＡＳバックオフタイマを前記タイマ値に基づいて設定し、前記バックオフタイマを活性化する制御部を備える、
無線端末。
（付記Ｃ８）
前記タイマ値は、前記外部ネットワークが低プライオリティ用の第１のネットワークである場合に、そうではない場合に比べて長い値に決定される、付記Ｃ７に記載の無線端末。
（付記Ｃ９）
前記第１のネットワークは、ＭＴＣ（Machine Type Communication）に対応付けられたネットワークである、付記Ｃ８に記載の無線端末。
（付記Ｃ１０）
前記ＮＡＳ要求メッセージは、Service Request、PDN Connectivity Request、Bearer Resource Allocation Request、Bearer Resource Modification Request、Attach Request、及びTracking Area Update Requestのうち少なくとも１つを含む、付記Ｃ７〜Ｃ９のいずれか１項に記載の無線端末。
（付記Ｃ１１）
輻輳制御のための方法であって、
ＮＡＳ（Non-Access Stratum）要求メッセージの送信抑止のために無線端末に配置されるＮＡＳバックオフタイマのタイマ値を前記無線端末に通知することを備え、
前記タイマ値は、前記無線端末が無線アクセスネットワーク及びコアネットワークを介して通信する外部ネットワークに応じて決定される、
方法。
（付記Ｃ１２）
前記タイマ値は、前記外部ネットワークが低プライオリティ用の第１のネットワークである場合に、そうではない場合に比べて長い値に決定される、付記Ｃ１１に記載の方法。
（付記Ｃ１３）
前記第１のネットワークは、ＭＴＣ（Machine Type Communication）に対応付けられたネットワークである、付記Ｃ１２に記載の方法。
（付記Ｃ１４）
前記タイマ値は、前記外部ネットワークに対応付けられた決定ポリシに従って決定される、付記Ｃ１１〜Ｃ１３のいずれか１項に記載の方法。
（付記Ｃ１５）
前記決定ポリシは、前記タイマ値が予め定められた固定値とされる第１のポリシ、及び前記タイマ値がランダムに決定される第２のポリシを含む複数のポリシから選択される、付記Ｃ１４に記載の方法。
（付記Ｃ１６）
輻輳制御のための方法をコンピュータに行わせるための方法であって、
前記方法は、ＮＡＳ（Non-Access Stratum）要求メッセージの送信抑止のために無線端末に配置されるＮＡＳバックオフタイマのタイマ値を前記無線端末に通知することを含み、
前記タイマ値は、前記無線端末が無線アクセスネットワーク及びコアネットワークを介して通信する外部ネットワークに応じて決定される、
プログラム。
【００７５】
この出願は、２０１２年７月２０日に出願された日本出願特願２０１２−１６１４０８を基礎とする優先権を主張し、その開示の全てをここに取り込む。
【符号の説明】
【００７６】
２０  無線アクセスネットワーク（ＲＡＮ）
３０  モバイルコアネットワーク（ＭＣＮ）
４０  外部ネットワーク
１００  無線端末
１０１  無線トランシーバ
１０２  制御部
１１０  ＮＡＳバックオフタイマ
２００  基地局
３００  移動管理ノード
３０１  タイマ値決定部
３０２  タイマ値通知部
３１０  転送ノード
３２０  加入者サーバ
【図１】
2014013661.tif 000003
【図２】
2014013661.tif 000004
【図３】
2014013661.tif 000005
【図４】
2014013661.tif 000006
【図５】
2014013661.tif 000007
【図６】
2014013661.tif 000008
【図７】
2014013661.tif 000009
【図８】
2014013661.tif 000010
【図９】
2014013661.tif 000011
【図１０】
2014013661.tif 000012
【図１１】
2014013661.tif 000013
【図１２】
2014013661.tif 000014
【図１３】
2014013661.tif 000015
【手続補正書】
【提出日】平成27年1月16日(2015.1.16)
【手続補正２】
【補正対象書類名】特許請求の範囲
【補正対象項目名】請求項１６
【補正方法】変更
【補正の内容】
【請求項１６】
輻輳制御のための方法をコンピュータに行わせるためのプログラムであって、
前記方法は、ＮＡＳ（Non-Access Stratum）要求メッセージの送信抑止のために無線端末に配置されるＮＡＳバックオフタイマのタイマ値を前記無線端末に通知することを含み、
前記タイマ値は、前記無線端末にインストールされたソフトウェア又は前記ソフトウェアのバージョン若しくはリビジョンを示すソフトウェア情報に基づいて決定される、
プログラム。
【国際調査報告】
2014013661.tif 000016
2014013661.tif 000017